(57)【要約】【課題】臭気を誘引した防臭用空気の流れを着座使用者の鼻へ至らせないようにする。【解決手段】トイレ室内２ｇの左右の壁面２ａ，２ｂの中間に設けられた着座式便器４と、便器４の便座４ｂより後方上方に設けられ、トイレ室床面２ｅへ向かって斜め下方前方へ空気を吹き出して着座使用者鼻Ｍｂの高さ位置Ｈ１と座面４ｂの高さ位置Ｈ２との間を通過する防臭用空気の流れＡ，Ｂを形成する吹出口５（５ａ，５ｂ）と、トイレ室内２ｇの空気を吸引する吸引口７，８とを備え、吸引口７，８が、便器４より前方の左右の壁面２ａ，２ｂの下方寄り箇所の各々に設けられ、吹出口５（５ａ，５ｂ）から吹き出してトイレ室床面２ｅ上へ至った空気を吸引する吸引力を有すること。【選択図】図１
2009052276.tif 000002
【特許請求の範囲】
【請求項１】
トイレ室内の左右の壁面の中間に設けられた着座式便器と、便器の便座より後方上方に設けられ、トイレ室床面へ向かって斜め下方前方へ空気を吹き出して着座使用者鼻高さ位置と便座の座面高さ位置との間を通過する防臭用空気の流れを形成する吹出口と、トイレ室内の空気を吸引する吸引口とを備えた防臭機能付きトイレ室であって、前記吸引口が、トイレ室内の壁面の下方寄り箇所の左右に設けられ、前記吹出口から吹き出してトイレ室床面上へ至った空気を吸引する吸引力を有することを特徴とする防臭機能付きトイレ室。  
【請求項２】
前記吸引口の単位時間当たりの吸引風量が前記吹出口の単位時間当たりの吹出風量より多い請求項１記載の防臭機能付きトイレ室。
【請求項３】
前記吸引口が、前記便器より前方に位置する前記左右の壁面の下方寄り箇所の各々に設けられている請求項１又は２記載の防臭機能付きトイレ室。
【請求項４】
前記左右の吸引口の各々が、トイレ室内に面して空気を吸い込む開口部について、トイレ室内の前後方向に沿って開口面積を調整できる開口調節具を備えた請求項１，２又は３記載の防臭機能付きトイレ室。
【請求項５】
前記吹出口と前記吸引口を連通する循環送風路、循環送風路に設けた循環用ファン及び脱臭装置、並びに、循環用ファンと吹出口の間の循環送風路の箇所からトイレ室外へ延設した排気路を有する循環・排気装置を備えた請求項１乃至４のいずれか１項に記載の防臭機能付きトイレ室。
【請求項６】
前記吹出口とトイレ室外を連通をする給気路及び給気路に設けた給気ファンを有する給気装置と、前記吸込口とトイレ室外を連通する排気路及び排気路に設けた排気ファンを有する排気装置とを備えた請求項１乃至４のいずれか１項に記載の防臭機能付きトイレ室。  
【請求項７】
前記吹出口は、分離して左右の各々に設け、着座使用者首位置へ向けて空気を吹き出さないようにした請求項１乃至６のいずれか１項に記載の防臭機能付きトイレ室。
【請求項８】
前記吹出口は、左右中間の開口部の開口面積を左右両側の開口部の開口面積より小さくして、着座使用者首位置へ向かう単位時間当たりの吹出風量を着座使用者首から外れた位置へ向かう空気の単位時間当たりの吹出風量よりも少なくした請求項１乃至６のいずれか１項に記載の防臭機能付きトイレ室。
【発明の詳細な説明】
【技術分野】
【０００１】
本発明は、着座式便器から生じる臭気を着座使用者の鼻へ至らさせない防臭機能付きトイレ室に関するものである。
【背景技術】
【０００２】
従来、防臭機能付きトイレ室には、トイレ室内に設けられた着座式便器と、便器の便座より後方上方に設けられ、斜め下方前方へ空気を吹き出してエアーカーテン（空気の流れを）形成する吹出口と、便器のボウル面の近傍に設けた吸引口とを備えたものがある（特許文献１）。
【特許文献１】特開２００５−１８００９２
【発明の開示】
【発明が解決しようとする課題】
【０００３】
しかし、従来の防臭機能付きトイレ室は、吹出口から吹き出して空気の流れを形成しつつ便器の上方を通過する間に臭気を誘引してトイレ室床面上へ至った空気が、床面上で方向転換してトイレ室内へ拡散し、その一部を着座使用者の鼻へ至らせることがあり、確実な防臭効果を得ることができない問題を招いていた。
【０００４】
本発明は、上記問題を解決するために、臭気を誘引した防臭用空気の流れを着座使用者の鼻へ至らせないようにする防臭機能付きトイレ室の提供を目的とする。
の提供を目的とする。
【課題を解決するための手段】
【０００５】
臭気を着座使用者の鼻へ至らせないようにするために請求項１記載の本発明が採用した手段は、トイレ室内の左右の壁面の中間に設けられた着座式便器と、便器の便座より後方上方に設けられ、トイレ室床面へ向かって斜め下方前方へ空気を吹き出して着座使用者鼻高さ位置と便座の座面高さ位置との間を通過する防臭用空気の流れを形成する吹出口と、トイレ室内の空気を吸引する吸引口とを備えた防臭機能付きトイレ室であって、前記吸引口が、トイレ室内の壁面の下方寄り箇所の左右に設けられ、前記吹出口から吹き出してトイレ室床面上へ至った空気を吸引する吸引力を有することを特徴とする防臭機能付きトイレ室である。
【０００６】
扉等にトイレ室の内外を連通させる隙間があったとしても防臭用空気の流れを着座使用者の鼻へ至らせないようにするために請求項２記載の本発明が採用した手段は、前記吸引口の単位時間当たりの吸引風量が前記吹出口の単位時間当たりの吹出風量より多い請求項１記載の防臭機能付きトイレ室である。
【０００７】
便器より前方のトイレ室床面上へ至った空気の流れを円滑に吸引させるために請求項３記載の本発明が採用した手段は、前記吸引口が、前記便器より前方に位置する前記左右の壁面の下方寄り箇所の各々に設けられている請求項１又は２記載の防臭機能付きトイレ室である。
【０００８】
トイレ室床面上に前後方向へ広範囲に至った空気を吸引口で円滑に吸引させるために請求項４記載の本発明が採用した手段は、前記左右の吸引口の各々が、トイレ室内に面して空気を吸い込む開口部について、トイレ室内の前後方向に沿って開口面積を調整できる開口調節具を備えた請求項１，２又は３記載の防臭機能付きトイレ室である。
【０００９】
トイレ室外へ排出する排気風量を少なくするために請求項５記載の本発明が採用した手段は、前記吹出口と前記吸引口を連通する循環送風路、循環送風路に設けた循環用ファン及び脱臭装置、並びに、循環用ファンと吹出口の間の循環送風路の箇所からトイレ室外へ延設した排気路を有する循環・排気装置を備えた請求項１乃至４のいずれか１項に記載の防臭機能付きトイレ室である。
【００１０】
脱臭装置を用いない態様に対処できるようにするために請求項６記載の本発明が採用した手段は、前記吹出口とトイレ室外を連通をする給気路及び給気路に設けた給気ファンを有する給気装置と、前記吸込口とトイレ室外を連通する排気路及び排気路に設けた排気ファンを有する排気装置とを備えた請求項１乃至４のいずれか１項に記載の防臭機能付きトイレ室である。
【００１１】
着座使用者に不快感を与えないようにするために請求項７記載の本発明が採用した手段は、前記吹出口は、分離して左右の各々に設け、着座使用者首位置へ向けて空気を吹き出さないようにした請求項１乃至６のいずれか１項に記載の防臭機能付きトイレ室である。      
【００１２】
着座使用者に不快感を与えないようにするために請求項８記載の本発明が採用した手段は、前記吹出口は、左右中間の開口部の開口面積を左右両側の開口部の開口面積より小さくして、着座使用者首位置へ向かう単位時間当たりの吹出風量を着座使用者首から外れた位置へ向かう空気の単位時間当たりの吹出風量よりも少なくした請求項１乃至６のいずれか１項に記載の防臭機能付きトイレ室である。
【発明の効果】
【００１３】
請求項１記載の本発明に係る防臭機能付きトイレ室は、吹出口から吹き出した空気が、防臭用空気の流れを形成しつつ便器の上方を通過する間に臭気を誘引してトイレ室床面上へ至った後、トイレ室床面上へ至った該空気を吸引する吸引力のある吸引口で吸引されるため、トイレ室床面上へ至った空気を着座使用者に向かって拡散することもなく、臭気が着座使用者の鼻へ至らない防臭に優れたトイレ室を提供できる。
【００１４】
請求項２記載の本発明に係る防臭機能付きトイレ室は、吹出口からトイレ室内へ供給する風量よりもトイレ室内から吸引口を介して排出する風量を多くすることで、閉状態の扉と扉枠の隙間等を介してトイレ室外の空気を室内へ浸入したとしても、吹出口から吹出してトイレ室床面上へ至った空気と共に浸入した空気を吸引口で吸引できるため、防臭用空気の流れがトイレ室床面上へ至った後に着座使用者に向かってトイレ室内へ拡散することもなく着座使用者の鼻へ至ることもない。
【００１５】
請求項３記載の本発明に係る防臭機能付きトイレ室は、便器より前方のトイレ室床面上へ至った空気の流れを、便器より前方に位置する左右の壁面の下方寄り箇所の各々に設けられた吸引口へ円滑に吸引させることができる。
【００１６】
請求項４記載の本発明に係る防臭機能付きトイレ室は、吸引口の開口部の開口面積について開口調節具で調節してトイレ室内の前後方向に沿った吸引風量の分布を、吹出口から吹出してトイレ室床面上へ至った空気のトイレ室内の前後方向に沿った風量の分布に対応させることができ、トイレ室床面上に前後方向へ広範囲に至った空気を調節した吸引口で吸引できる。
【００１７】
請求項５記載の本発明に係る防臭機能付きトイレ室は、脱臭装置で脱臭した空気を循環させることで、吸引口で吸引した風量の一部を排気路を介してトイレ室外へ排出することができ、トイレ室外へ排出する排気風量を少なくすることができる。
【００１８】
請求項６記載の本発明に係る防臭機能付きトイレ室は、吹出口から吹き出してトイレ室床面上へ至った空気と共に扉等の隙間から浸入した空気を吸引口で吸引して、その全部を排気路を介してトイレ室外へ排出するため、脱臭装置を用いない態様に対処できる。
【００１９】
請求項７記載の本発明に係る防臭機能付きトイレ室は、着座使用者の首に風を当てることがないため、着座使用者に不快感を与えないようにすることができる。
【００２０】
請求項８記載の本発明に係る防臭機能付きトイレ室は、着座使用者の首に当てる風量を少なくして、着座使用者に不快感を与えないようにすることができる。
【発明を実施するための最良の形態】
【００２１】
本発明に係る防臭機能付きトイレ室（以下、「本発明トイレ室」と言う。）を図面に示す実施形態に基づいて説明する。
【００２２】
（第１の実施の形態）
図１及び図２は本発明トイレ室の第１の実施の形態を示すものであり、図１は本発明トイレ室１の全体を示すものであって、図（Ａ）は左側面図、図（Ｂ）は平面図である。図２は、本発明トイレ室に備えた循環・排気装置１０の概念図である。以下の説明において、「前」とは図１の図（Ａ）及び図（Ｂ）における左側を指し、「後」とはこれら図の右側を指す。また、「左」とは図１の図（Ｂ）の下側を指し、「右」とは同図の上側を指す。
【００２３】
本発明トイレ室１は、図１に示す如く、トイレ室２の室内２ｇにおける左右の壁面２ａ，２ｂの中間に設けられた着座式便器４と、便器４の便座４ｂより後方上方に設けられた吹出口５と、便器４より前方の左右の壁面２ｂ，２ｃの下方寄り箇所の各々に設けられた左右の吸引口７，８とを備え、吹出口５からトイレ室床面２ｅへ向かって斜め下方前方へ空気を吹き出して着座使用者鼻高さ位置Ｈ１と便座４ｂの座面高さ位置Ｈ２との間を、着座使用者Ｍの肩幅寸法に近い幅寸法（例えば、５０〜７０ｃｍ程度の幅寸法）の幅領域内を通過する防臭用空気の流れＡ，Ｂを形成し、吹出口５から吹き出してトイレ室床面２ｅ上へ至った空気を左右の吸引口７，８で吸引するようにしてある。トイレ室２は、左右の壁面２ａ，２ｂ、前後の壁面２ｃ，２ｄ、床面２ｅ及び天井面２ｆで囲まれて室内２ｇが形成され、前方に出入口用扉３が設けられている。
【００２４】
前記吹出口５は、本例では、分離して左右の各々に左右専用の吹出口５ａ，５ｂを設け、着座使用者首Ｍｂの位置へ向けて空気を吹き出さない無風域Ｄ（図１の図（Ｂ）参照）を形成して、着座使用者Ｍに不快感を与えないようにある。なお、吹出口５は、図示は省略しが、左右方向へ長い一つで形成して左右中間の開口部の開口面積を左右両側の開口部の開口面積より小さくして、着座使用者首Ｍｂの位置へ向かう単位時間当たりの吹出風量を着座使用者首Ｍｂから外れた位置へ向かう空気の単位時間当たりの吹出風量よりも少なく、着座使用者Ｍに不快感を極力与えないようにすることもある。
【００２５】
前記吹出口５（５ａ，５ｂ）及び吸引口７，８は、循環・排気装置１０に接合され、循環・排気装置１０で空気を送風又は吸引するようにしてある。循環・排気装置１０は、後方の壁面２ｄと便器４との間に配設されるか、又は壁面２ｄに埋め込むように配設される（図示略）。循環・排気装置１０は、図２に示す如く、ケーシング１１と、吹出口５（５ａ，５ｂ）と吸引口７，８を連通するダクト等から形成した循環送風路１２と、循環送風路１２に設けた循環用ファン１３及び脱臭装置１４と、循環用ファン１３と吹出口５（５ａ，５ｂ）の間の循環送風路１２の分岐箇所１２ｃからトイレ室外Ｃへ延設させた排気路１５とを備えている。循環送風路１２は、ケーシング１１の内部に設けられた部分と、トイレ室内２ｇへ延長して吸引口７，８へ接合した延長部１２ｄ，１２ｄとを備えている。循環送風路１２は、下流側に吹出し風量調節用ダンパー１６，１６を設けて二つの吹出口５ａ，５ｂの各々から吹出す風量を個別に調節できるようにすると共に、上流側に吸込み風量調節用ダンパー１７，１７を設けて二つの吸引口７，８の各々が吸引する風量を個別に調節できるようにして、室内２ｇの形状が異なる各トイレ室２に対処できるようにしてある。なお、吹出口５を左右専用の吹出口５ａ，５ｂに分離することなく一個で形成した場合（図示略）には、一つの吹出し風量調節用ダンパー１６を設けて対処することができる。また、風量調節は、循環用ファン１３の駆動に可変速モータを用い、循環用ファン１３の回転数を制御して対処することも可能である。
【００２６】
前記吹出口５（５ａ，５ｂ）は、ケーシング１１に直接又は取付具（図示略）を介して取付けられ、循環送風路１２の分岐した下流端１２ｂ，１２ｂに連通している。二つの吸引口７，８は、循環送風路１２の延長部１２ｄ，１２ｄの上流端１２ａ，１２ａに連通している。二つの吸引口７，８及び延長用ダクト１２ｄ，１２ｄは、左右の壁面２ａ，２ｂの下端の幅木取付け位置に設けられて幅木の代用とされ、壁面２ａ，２ｂからの突出寸法を大きくさせないように壁面２ａ，２ｂに埋め込むこともある。二つの吸引口７，８は、吹出口５（５ａ，５ｂ）から吹き出して防臭用空気の流れＡ，Ｂを形成しつつトイレ室床面２ｅ上へ至った空気の総てを吸い込むことができる大きの寸法に形成され、その長手寸法Ｌが決定される。二つの吸引口７，８は、トイレ室内２ｇに面して空気を吸い込む開口部について、吸引口長手方向（トイレ室内２ｇの前後方向）に沿って開口面積を調節できる開口調節具（図示略。例えば、開口部の一部を移動調節可能に覆う調節板）を備えている。二つの吸引口７，８は、その開口部の開口面積について開口調節具で調節して前後方向に沿った吸引風量の分布を、吹出口５（５ａ，５ｂ）から吹出してトイレ室床面２ｅ上へ至った空気の前後方向に沿った風量の分布に対応させることができ、トイレ室床面２ｅ上に前後方向へ広範囲に至った空気を吸引することができるようになる。二つの吸引口７，８は、トイレ室内２ｇのゴミを吸い込まないように入口部に樹脂、セラミック又は金網等からなるフイルターを設け、捕捉ゴミの除去がトイレ室内２ｇからできるようになっている。
【００２７】
前記循環・排気装置１０は、排気路１５を設けることで、吸引口７，８の単位時間当たりの吸引風量Ｑ１が吹出口５（５ａ，５ｂ）の単位時間当たりの吹出風量Ｑ２より多くなるようにする（Ｑ１＞Ｑ２）と共に、排気路１５に排気量調節用ダンパー１８を設けて、吸引風量Ｑ１を一定量にしつつ吹出風量Ｑ２を変更できるようにしてある。本発明トイレ室１は、循環・排気装置１０の吸引風量Ｑ１を吹出風量Ｑ２より多くすることで、閉状態の扉３（図１参照）と扉枠の隙間等を介してトイレ室外Ｃから室内２ｇへ浸入した空気を、吹出口５（５ａ，５ｂ）から吹出してトイレ室床面２ｅ上へ至った空気と共に吸引口７，８で吸引することでき、吹出口５（５ａ，５ｂ）から吹出してトイレ室床面２ｅ上へ至った後の空気が、着座使用者Ｍに向かってトイレ室内２ｇへ拡散することもなく着座使用者Ｍの鼻Ｍａへ至らせることもない。
【００２８】
脱臭装置１４は、脱臭の方式として、活性炭による脱臭、オゾンによる脱臭又はイオンによる脱臭等が選択される。本発明トイレ室１は、循環・排気装置１０の脱臭装置１４で脱臭した空気を循環させると共に、吸引口７，８で吸引した風量の一部を排気路１５を介してトイレ室外Ｃへ排出することで、トイレ室外Ｃへ排出する排気風量を少なくすることができる。
【００２９】
前記便器４は、本例では、便器洗浄水用タンクを備えないタンクレス式を採用しているが、便器洗浄水用タンクを備えた方式を採用するこも勿論可能である。便器洗浄水用タンクを備えた方式の便器４の場合には、循環・排気装置１０のケーシング１１の下方寄りに便器洗浄水用タンクを収納させることも可能である。
【００３０】
本発明トイレ室１は、吹出口５（５ａ，５ｂ）から吹き出した空気が、進行するのに伴い若干拡大しながら防臭用空気の流れＡ，Ｂを形成しつつ便器４の上方を通過する間に便器４と着座使用者Ｍとの隙間から漏れ出た臭気を誘引してトイレ室床面２ｅ上へ至った後、トイレ室床面２ｅ上へ至った該空気を吸引する吸引力のある吸引口７，８で吸引されるため、トイレ室床面２ｅ上へ至った空気を着座使用者Ｍに向かってトイレ室内２ｇへ拡散させることもなく、臭気が着座使用者Ｍの鼻Ｍｂへ至らない防臭に優れたトイレ室２を提供できる。
【００３１】
（第２の実施の形態）
図３は本発明トイレ室の第２の実施の形態に備えた給排気装置２０の概念図である。本実施の形態が前記第１の実施の形態（図１及び図２）と大きく相違する点は、前記循環・排気装置１０を給排気装置２０に置換したことであり、この相違点以外の便器４、吹出口５及び吸引口７，８等については第１の実施の形態と実質的に同一である。
【００３２】
給排気装置２０は、吹出口５（５ａ，５ｂ）とトイレ室外Ｃを連通する給気路２１及び給気路２１に設けた給気ファン２２を有する給気装置２３と、吸込口７，８とトイレ室外Ｃを連通する排気路２４及び排気路２４に設けた排気ファン２５を有する排気装置２６とを備えている。給排気装置２０は、給気装置２３の起動した給気ファン２２でトイレ室外Ｃの空気を吹出口５（５ａ，５ｂ）へ給気すると共に、排気装置２６の起動した排気ファン２５で吸込口７，８が吸い込んだ空気をトイレ室外Ｃへ排気する。本実施の形態に係る本発明トイレ室は、給気装置２３の給気及び排気装置２６の排気により、図１に示す第１の実施の形態と同様に、吹出口５（５ａ，５ｂ）からトイレ室床面２ｅへ向かって斜め下方前方へ空気を吹き出して着座使用者鼻高さ位置Ｈ１と便座４ｂの座面高さ位置Ｈ２との間を通過する防臭用空気の流れＡ，Ｂを形成し、吹出口５（５ａ，５ｂ）から吹き出してトイレ室床面２ｅ上へ至った空気を左右の吸引口７，８で吸引することでき、吹出口５（５ａ，５ｂ）から吹出してトイレ室床面２ｅ上へ至った後の空気が、着座使用者Ｍに向かってトイレ室内２ｇへ拡散することもなく着座使用者Ｍの鼻Ｍａへ至らせることもない。      
【００３３】
給排気装置２０は、図１に示す循環・排気装置１０と同様に、後方の壁面２ｄと便器４との間に配設され、又は壁面２ｄに埋め込むように設けられ、ケーシング２７の内部に給気装置２３及び排気装置２６を収納して、給気路２１の延長部２１ｄ，２１ｄをケーシング２７からトイレ室内２ｇへ延長して吸込口７，８に接合してある。
【００３４】
前記給排気装置２０の給気装置２３と排気装置２６は、吸引口７，８の単位時間当たりの吸引風量が吹出口５（５ａ，５ｂ）の単位時間当たりの吹出風量より多くなるように、給気ファン２２及び排気ファン２５の単位時間当たりの風量を決定してある。
【００３５】
（第３の実施の形態）
図４は本発明トイレ室の第３の実施の形態を示すものであって、図（Ａ）は本発明トイレ室３１の全体を示す左側面図、図（Ｂ）は平面図である。
【００３６】
前記第１の実施の形態（図１及び図２参照）では、便器４より前方に吸引口７，８を設けているが、第３の実施の形態に係る本発明トイレ室３１は、吸引口７，８を便器４より後方の左右に設けている。左右に吸引口７，８は、例えば、トイレ室内２ｇの壁面の一部を形成する前記循環・排気装置１０のケーシング１１（図１及び図２参照）又は前記給排気装置２０のケーシング２７（図３参照）の前面下方の左右に設けてられている。循環・排気装置１０又は給排気装置２０は、吸引口７，８の単位時間当たりの吸引風量Ｑ１を吹出口５（５ａ，５ｂ）の単位時間当たりの吹出風量Ｑ２より多くする（Ｑ１＞Ｑ２）割合を調整して、着座使用者Ｍの鼻Ｍａへ臭気が至らせないような空気の流れＡ，Ｂを確保しつつ、床面２ｅ上又は床面２ｅ近傍に達した防臭用空気の流れＡ，Ｂを便器４より後方の吸引口７，８へ誘引させて吸引するようにしてある。
【００３７】
本実施の形態の本発明トイレ室３１は、トイレ室内２ｇの壁面の一部を形成する循環・排気装置１０のケーシング１１又は給排気装置２０のケーシング２７の前面に吸引口７，８を開設するときには、前記第１の実施の形態の延長部１２ｄ，１２ｄ（図１及び図２参照）又は前記第２の実施の形態の延長部２４ｄ，２４ｄ（図３参照）を設ける必要がなく、施工を簡単にできる。
【図面の簡単な説明】
【００３８】
【図１】本発明トイレ室の第１の実施の形態を示すものであり、図（Ａ）は本発明トイレ室の全体を示す左側面図、図（Ｂ）は平面図である。
【図２】同実施の形態に係る本発明トイレ室に備えた循環・排気装置の概念図である。
【図３】本発明トイレ室の第２の実施の形態に備えた給排気装置の概念図である。
【図４】本発明トイレ室の第３の実施の形態を示すものであり、図（Ａ）は本発明トイレ室の全体を示す左側面図、図（Ｂ）は平面図である。
【符号の説明】
【００３９】
１（３１）…本発明トイレ室、２…トイレ室、２ａ…壁面、２ｂ…壁面、２ｅ…床面、２ｇ…室内、４…便器、４ｂ…便座、５…吹出口、５ａ…右側専用、５ｂ…左側専用、７…吸引口、８…吸引口、Ａ，Ｂ…防臭用空気の流れ、Ｈ１…着座使用者鼻高さ位置、Ｈ２…便座４ｂの座面高さ位置、Ｍ…着座使用者、Ｍａ…鼻
【図１】
2009052276.tif 000003
【図２】
2009052276.tif 000004
【図３】
2009052276.tif 000005
【図４】
2009052276.tif 000006